(57)【特許請求の範囲】
【請求項１】
球面の一部からなる凸状背面部を有した灯具と；
前記凸状背面部を突出させて前記灯具の照射方向を可変できるように前記灯具を変向可能に支持する受け部を有し、外周面に係合突起が形成された器具本体と；
前記係合突起に嵌合する係合孔が形成され、前記係合突起に係合孔を係合させて前記器具本体に取り付けられているとともに前記凸状背面部に弾接する押圧部を有し、前記灯具の変向動作に追従して前記係合突起を中心として回転するように動かされ、かつ、前記灯具を前記受け部に押圧した状態を保持する弾性材からなる押圧部材と；
前記押圧部材と別体に構成され、前記器具本体を被設置部に取り付け保持する取付部材と；
を備えたことを特徴とする照明器具。
【請求項２】
前記取付部材には前記係合突起に嵌合する係合孔が形成され；
前記押圧部材及び前記取付部材の前記両係合孔を前記係合突起に係合させて、前記器具本体の外周面に前記取付部材が取り付けられているとともに、前記器具本体の外周面とで前記取付部材を挟んで押圧部材が前記器具本体に取り付けられていることを特徴とする請求項１に記載の照明器具。
【請求項３】
前記取付部材は前記器具本体から張り出す方向に延びる弾性変形可能な板ばねであって、曲げ変形許容部と、この曲げ変形許容部よりも前記取付部材の張り出し方向側の部位からなる付勢部と、前記変形許容部を境に前記付勢部と反対側の端部からなる取付部とを備え、前記取付部が前記器具本体の外周面に形成された溝に挿入されて支持されていることを特徴とする請求項１又は２記載の照明器具。
【請求項４】
前記灯具及び前記器具本体は、互いに当接することにより前記灯具の回転方向及び回転角度を規制する回転規制部をそれぞれ備え；
前記回転規制部は前記取付部材と異なる部位に配置されていることを特徴とする請求項１記載の照明器具。
【発明の詳細な説明】
【技術分野】
【０００１】
本発明は、例えば天井や壁に形成された埋込孔等の開口に取り付けられる照明器具に関する。
【背景技術】
【０００２】
この種の照明器具として、球状の灯具が、回転可能な状態で、枠状の器具本体と器具本体に固定された取付ばねとによって支持されるものが知られている（例えば特許文献１参照）。この照明器具では、器具本体の内部に灯具が収容された状態で、取り付けばねが灯具の上方に被せられ、その下端が器具本体の外周に固定されている。この取付ばねは、灯具を器具本体に対して押圧固定する押さえ部と、埋込孔の内面を内側から付勢することにより器具本体を埋込孔に固定するばね部とが一体に形成されている。ばね部は器具本体の接線方向に延びるとともに先端が内径方向に弾性変形可能に構成されている。このばね部が弾性変形した状態で埋め込み穴に挿入されると、弾性復元力で埋め込み穴の内面が付勢される。また、このとき、ばね部の上端に形成された落下防止片が埋込孔の上端に引っかかることにより器具本体が上方に支持される。さらに、この照明器具では、器具本体の開口部から灯具を回転させることにより照射方向を調節することができるようになっている。
【特許文献１】特開２００５−１５８４２５号公報
【発明の開示】
【発明が解決しようとする課題】
【０００３】
しかしながら、上述した照明器具では、次のような問題があった。すなわち、ばね部と押さえ部とが一体に構成されているため、埋め込み穴に挿入する際にばね部の弾性変形に伴って押さえ部が変形される。それによって、押さえ部との摩擦力が変化して、灯具を回転させ難くなり、又は回転し易くなり過ぎる場合があった。  
そこで、本発明は、器具本体の取付け状態に拘わらず灯具を安定して回転することができる照明器具を提供することを目的とする。
【課題を解決するための手段】
【０００４】
請求項１に記載の発明は、球面の一部からなる凸状背面部を有した灯具と；前記凸状背面部を突出させて前記灯具の照射方向を可変できるように前記灯具を変向可能に支持する受け部を有し、外周面に係合突起が形成された器具本体と；前記係合突起に嵌合する係合孔が形成され、前記係合突起に係合孔を係合させて前記器具本体に取り付けられているとともに前記凸状背面部に弾接する押圧部を有し、前記灯具の変向動作に追従して前記係合突起を中心として回転するように動かされ、かつ、前記灯具を前記受け部に押圧した状態を保持する弾性材からなる押圧部材と；前記押圧部材と別体に構成され、前記器具本体を被設置部に取り付け保持する取付部材と；を備えたことを特徴とする照明器具である。
【０００５】
本発明で、灯具の外郭を構成する材料としては、例えば鉄、銅、アルミニウム及びこれらの合金等を好適に使用することができる。
【０００６】
本発明で、器具本体として、灯具の外径より小さな開口部を有する円形の枠状部材や筒状の部材を好適に使用できる。
【０００７】
押圧部材としては、厚み方向に弾性変形可能な板ばねからコ字状に形成されたものを好適に用いることができるが、この他、ゴム等からなる伸縮可能な線状部材等も適用可能である。
【０００８】
請求項２に記載の発明は、前記取付部材には前記係合突起に嵌合する係合孔が形成され；前記押圧部材及び前記取付部材の前記両係合孔を前記係合突起に係合させて、前記器具本体の外周面に前記取付部材が取り付けられているとともに、前記器具本体の外周面とで前記取付部材を挟んで押圧部材が前記器具本体に取り付けられていることを特徴とする請求項１に記載の照明器具である。
【０００９】
請求項３に記載の発明は、前記取付部材は前記器具本体から張り出す方向に延びる弾性変形可能な板ばねであって、曲げ変形許容部と、この曲げ変形許容部よりも前記取付部材の張り出し方向側の部位からなる付勢部と、前記変形許容部を境に前記付勢部と反対側の端部からなる取付部とを備え、前記取付部が前記器具本体の外周面に形成された溝に挿入されて支持されていることを特徴とする請求項１又は２記載の照明器具である。
【００１０】
請求項４に記載の発明は、前記灯具及び前記器具本体は、互いに当接することにより前記灯具の回転方向及び回転角度を規制する回転規制部をそれぞれ備え；
前記回転規制部は前記取付部材と異なる部位に配置されていることを特徴とする請求項１記載の照明器具である。
【発明の効果】
【００１１】
請求項１に記載の発明によれば、器具本体の取付け状態に拘わらず灯具を安定して回転させることができる照明器具を提供することができる。
【００１２】
請求項２に記載の発明によれば、単純な構成で、取付部材及び押圧部材を固定することが可能である。
【００１３】
請求項３に記載の発明によれば、溝により取付部材の端部を支持するため、取付部材の変形が押圧部材に影響するのを防止できる。さらに、取付部材に曲げ変形許容部を形成したことにより容易に変形できるとともに、溝にかかる負荷を減らすことができる。
【００１４】
請求項４に記載の発明によれば、回転規制部と取付部材との位置をずらしたことにより、取付部材の変形が灯具の回転に影響するのを防止することができる。
【発明を実施するための最良の形態】
【００１５】
以下に本発明の第１実施形態について、図１〜図１１を参照して説明する。なお、説明のため、各図において適宜構成を省略して示している。  
図１及び図２に示す照明器具１は、壁や天井等の被設置部５０に形成された埋込孔５１等の開口に挿入されてスポットライト等として利用される埋め込み式の照明器具であり、球状の灯具１０と、灯具１０の下方を支持する枠状の器具本体２０と、灯具１０を上方から押圧する押圧部材の一例としての押さえばね３０と、器具本体２０に固定された取付部材の一例として埋込孔５１を内側から付勢する取付ばね４０とを備えている。
【００１６】
灯具１０は、器具本体２０と押さえばね３０とによって、回転可能な状態で、挟持されている。図３に示されるように、灯具１０は、それぞれ金属、好ましくはアルミニウム合金等から半球状に形成された本体部１１及びカバー部１２がねじ等の固定部材１３によって結合され、球状に構成されている。灯具１０の内部には、発光源としてのＬＥＤ１４等が収容されている。
【００１７】
本体部１１の外周面は凸状背面部１１ａを有する。この凸状背面部１１ａは球面の一部からなり、言い換えれば、凸曲面をなしている。本体１１の外周面には、放熱部１７や、後述する回転規制凹部２４に対応する２つの回転規制凸部１８が形成されている。
【００１８】
器具本体２０は、合成樹脂等からなり、灯具１０の下方外周を囲む円筒部２１と埋込孔５１の縁に当接する外鍔部２２とが一体となって、枠状に形成されている。外鍔部２２の外径は埋込孔５１の径より大きく、また、灯具１０が載置される受け部の一例としての開口部２３の縁２１ａは灯具１０の外径より小さく構成されている。開口部２３の縁２１ａから外鍔部２２の下端に向けて内径が広くなるようにテーパ状に形成されている。  
円筒部２１において、対向する二箇所に所定の幅及び深さを有する回転規制凹部２４が形成されている。この回転規制凹部２４の内壁に上記灯具１０の回転規制凸部１８が当接することで灯具１０の回転角度や回転方向が規制される。  
また、円筒部２１の外周面において、対向する二箇所に、接線方向と平行に形成された平面部２５が形成されている。この平面部２５において、取付ばね４０及び押さえばね３０が器具本体２０に取り付けられる。平面部２５の中心には、係合爪２６が形成されている。この係合爪２６は器具本体２０の外周面から外方向に突出した爪本体２６ａとこの爪本体２６ａの外側から下方に突出した先端部２６ｂとを備え、この先端部２６ｂに後述する係合孔３３、４４が係合することにより押さえばね３０及び取付ばね４０固定される。さらに、平面部２５の一方の端部には取付ばね４０の端部が挿入される溝２７が形成されている。
【００１９】
図６（ａ）〜（ｃ）に示す押さえばね３０は、板厚方向に弾性変形可能な金属等のばね板からなり、灯具１０の凸状背面部１１aに弾性的に当接（弾接）して器具本体２０に向けて押圧する押圧部３１と、取付ばね４０の取付部４１を外側から覆うように器具本体２０に取り付けられる両側部３２とが一体となってコ字状に形成されている。両側部３２の下端には、係合爪２６に係合される係合孔３３が形成されている。なお、押さえばね３０は自由状態においては両側部３２の係合孔３３の下端から押圧部３１までの長さは器具本体２０の係合爪２６の基端部の下端から載置された灯具１０の上端までの長さより小さく構成されている。したがって、図１に示すように押さえばね３０を灯具１０の凸状背面部１１ａを覆うように器具本体２０に取り付けた状態では、押圧部３１が、曲げ変形する。とともに灯具１０を器具本体２０に向けて押圧付勢する。更に、押さえばね３０が上方に動かされてその両側部３２が係合爪２６に引っ掛かるので、両側部３２が係合爪２６から側方に外れないように保持される。  
また、係合孔３３は、両側部３２が係合爪２６を中心として回転できるように、係合爪２６の基端よりも数ミリ程度大きく形成され、嵌合隙間３３ａを有している。この嵌合隙間３３ａによって、図１１に示すように、灯具１０が自らの中心Ｇの回りを回転すると、両側部３２が僅かに（α）回転するとともに押圧部３１が追従して動くため回転の初動動作がスムーズに行われる。このとき、両側部３２の内側において係合爪２６に取り付けられている取付ばね４０は押さえばね３０と別体に構成されているとともに係合孔４４は嵌合隙間を有さないため傾くことがない。
【００２０】
図７（ａ）及び（ｂ）に示される取付ばね４０は複数、例えば２枚用いられ、板厚方向に弾性変形可能な金属等のばね板からなり、器具本体２０の平面部２５に取り付けられる取付部４１と、挿入時に埋込孔５１の内周を付勢する付勢部４２とが一体に形成されている。また、付勢部４２の基端、すなわち取付部４１と付勢部４２の接続部分は、弾性変形しやすくするためのスリット４３ａが形成され、曲げ変形許容部４３を構成している。取付部４１は矩形状を成し、中心に係合孔４４を備えている。取付部４１の端部が器具本体２０の溝２７に挿入された状態で、係合孔４４が前記係合爪２６に係合することにより取付ばね４０が器具本体２０に固定されている。また、この取付部４１は押さえばね３０の両側部３２で覆われる。
【００２１】
図２に示すように、付勢部４２は、自由状態においては器具本体２０の接線方向に直線状に延び、器具本体２０の外方に張り出している。このとき２枚の付勢部４２の先端４２ａ間の距離は、埋込孔５１の径より大きく形成されている。この付勢部４２は内径方向、すなわち、付勢部４２の先端４２ａが器具本体２０の外周面に沿うように弾性変形可能である。また、２枚の取付ばね４０は、その取付部４１が回転規制凹部２４及び回転規制凸部１８の位置と異なるようにずらされているとともに、その付勢部４２は係合爪２６を中心として回転規制凹部２４及び回転規制凸部１８と反対方向に延びるように配置されている。すなわち、取付ばね４０が自由状態であっても弾性変形した際にもこれら回転規制凹部２４及び回転規制凸部１８に干渉しないようになっている。  
さらに、付勢部４２の端部は斜めに形成されて斜辺４２ｂを構成している。この斜辺４２ｂは、埋込孔５１の内周面の上端５２に当接することにより、埋込孔５１の内周面を外側に付勢するとともに、照明器具１の落下を防止する機能を備える。
【００２２】
照明器具１を組み立てる手順について説明する。まず、２枚の取付ばね４０を２箇所の平面部２５にそれぞれ取り付ける。このとき、取付部の端部４１ａを溝２７に挿し込むとともに器具本体２０の係合爪２６に係合させる。ついで、灯具１０を器具本体２０の円筒部２１の内側に配置する。このとき、灯具１０の照射方向を下方に向け、開口部２３の縁２１ａに当具１０のカバー部１２の半球状外面を摺動可能に接触させて、この縁２１ａに灯具１０を変向可能に支持させる。なお、取付ばね４０を取り付ける前に灯具１０を載置してもよい。ついで、灯具１０の上方から凸状背面部１１ａを覆うように押さえばね３０を器具本体２０に取り付ける。このとき、押圧部３１を凸状背面部１１ａに当接させるとともに平面部２５に既に取り付けられている取付ばね４０の取付部４１を外側から覆うように係合孔３３に係合爪２６を引っ掛ける。こうして照明器具１が組み立てられる。
【００２３】
以上のように構成された照明器具１を埋込孔５１に取り付ける手順を説明する。まず図９に示すように、取付ばね４０の付勢部４２を内径方向に弾性変形させ、付勢部４２を、器具本体２０の外周面に沿うように曲げることにより、２枚の付勢部４２の先端４２ａを互いに近づける。このとき、スリット４３ａが形成されていることにより容易に変形可能であるとともに溝２７に掛かる負担が軽減される。ついで、変形により付勢部４２の先端４２ａ同士の距離を埋込孔５１の径より小さくした状態で埋込孔５１に挿入する。挿入後、変形させる力を解除すると、付勢部４２が弾性復元力により接線方向に広がる。このとき、図８に示すように２枚の取付ばね４０の付勢部４２の先端４２ａ同士が離間し、斜辺４２ｂが埋込孔５１の内周面の上端５２に当接する。こうして、付勢部４２の斜辺４２ｂにより埋込孔５１の内周面の上端５２を外方向に付勢するとともに、斜辺４２ｂが埋込孔５１の内周面の上端５２に支持されることにより照明器具１が埋込孔５１に固定される。
【００２４】
この照明器具１の照射方向を変更する際は、図１０に示すように器具本体２０の開口部２３から露出した灯具１０のカバー部１２を押圧することにより任意の方向に灯具１０を回転させる。このとき、図１１に示すように、回転規制凸部１８と回転規制凹部２４により、回転角度が一定に制限される。すなわち、回転規制凸部の側壁１８ａが回転規制凹部の内側壁２４ａに当接することにより器具本体２０の外周方向の回転角度が制限されるとともに、回転規制凸部１８の下面１８ｂが回転規制凹部２４の底面２４ｂに当接することにより図１１に示す角度（β）に制限される。
【００２５】
上記照明器具１において、取付ばね４０と押さえばね３０とは別体に構成され、かつ押さえばね３０は器具本体２０に回転可能に係合しているため、互いに影響することがなく、取付ばね４０の付勢力を維持しつつ灯具１０の回転をスムーズに行うことができる。
【００２６】
また、一つの係合爪２６に取付ばね４０の係合孔４４と押さえばね３０の係合孔４４を両方取り付けるため組み立て性が良い。これに加え、器具本体２０外周に形成された溝２７に取付ばね４０の端部が支持されるため、取付ばね４０の弾性変形による力が押さえばね３０に影響して、この押さえばね３０を変形させることがない。これにより、押圧部３１と灯具１０との摩擦力が大きく変化することがなく、灯具１０が回転させ難くなること、及び回転し易くなり過ぎることがないから、器具本体２０の取付け状態に拘わらず灯具１０を安定して回転させることができる。さらに、取付ばね４０にスリット４３ａを形成したことにより、溝２７にかかる力を軽減することができる。
【００２７】
回転規制凹部２４及び回転規制凸部１８と取り付けばね４０の位置が異なるため、取付ばね４０が弾性変形した際にも回転規制凹部２４及び回転規制凸部１８に干渉することがなく、灯具１０の回転が取付ばね４０に邪魔されない。
【００２８】
灯具１０がアルミニウム等合金で形成され、かつ、器具本体２０の背面に突出した凸状背面部１１ａに金属製の押さえばね３０がそのばね力で密に当接することによりこれら両部材から外方への放熱性が良い。したがって、ＬＥＤ１４の寿命低下を抑制できる。
【００２９】
係合爪２６及び係合孔４４により、ねじやリベットを使用することなく取付ばね４０を器具本体２０に取り付けることが可能であるため器具本体２０の開口径を小型にすることができる。
【００３０】
さらに、付勢部４２の斜辺４２ｂが、埋込孔５１を外方向に付勢すると同時に上下方向において支持されるため、落下防止の部材が不要であり、また、多様な径、厚さの被設置部の開口に適用することができる。
【図面の簡単な説明】
【００３１】
【図１】本発明の第１実施形態にかかる照明器具を示す斜視図。
【図２】同照明器具の平面図。
【図３】本発明の第１実施形態にかかる灯具を一部断面して示す側面図。
【図４】本発明の第１実施形態にかかる器具本体の平面図。
【図５】同器具本体の断面図。
【図６】（ａ）、（ｂ）及び（ｃ）は本発明の第１実施形態にかかる押さえばねの平面図、正面図及び側面図。
【図７】（ａ）及び（ｂ）は本発明の第１実施形態にかかる取付ばねの正面図及び側面図。
【図８】本発明の第１実施形態にかかる照明器具を埋込孔に装着した状態を示す側面図。
【図９】同照明器具を埋込孔に装着する手順を示す側面図。
【図１０】同照明器具の側面図。
【図１１】同照明器具の灯具の向きを変えた状態を示す側面図。
【符号の説明】
【００３２】
１…照明器具、１０…灯具、１１ａ…凸状背面部、１８…回転規制凸部、２０…器具本体、２１ａ…開口部２３の縁（受け部）、２４…回転規制凹部、２６…係合爪、２７…溝、３０…押さえばね（押圧部材）、３１…押圧部、３３…係合孔、４０…取付ばね(取付部材)、４１…取付部、４１ａ…端部、４２…付勢部、４３…変形許容部、４４…係合孔、５０…被設置部。
【図１】
0004682879.tif 000002
【図２】
0004682879.tif 000003
【図３】
0004682879.tif 000004
【図４】
0004682879.tif 000005
【図５】
0004682879.tif 000006
【図６】
0004682879.tif 000007
【図７】
0004682879.tif 000008
【図８】
0004682879.tif 000009
【図９】
0004682879.tif 000010
【図１０】
0004682879.tif 000011
【図１１】
0004682879.tif 000012